(57)【要約】      （修正有）【課題】複数の旅行者等が夫々に携行している複数個のキャリーバッグ等のバッグが前記旅行者と一緒にレストラン等の店舗内に持ち込まれ、これらの複数バッグを一纏めにして一箇所に置いて保管するとき、誤って他人のバッグを持ち出したり、或いは故意に他人のバッグを持ち出すことができないキャリーバッグ等のバッグ用ロッカーに用いる施錠装置を提供する。【解決手段】キーがキー穴に差し込まれて内筒を回転させ当該内筒の後端に結合された鎖錠部材を回転動作又は該回転動作に連動して直線動作させる錠前部材を備えた筺体１と、前記筺体に設けた挿入口に挿し込んで前記鎖状部材の前記動作によって当該鎖状部材に結合・離脱される係止部材６と、該係止部材を一端に結合したワイヤや鎖等による結束部材５であって当該結束部材の他端側が、前記係止部材側の当該結束部材に結合されるか、又は前記筺体に結合された結束部材を備えて施錠装置ＲＳを形成した。【選択図】図６
0003210056.tif 000002
【実用新案登録請求の範囲】
【請求項１】
キーがキー穴に差し込まれて内筒を回転させ当該内筒の後端に結合された鎖錠部材を回転動作させるか又は該回転動作に連動して直線動作させるようにした錠前を備えた筺体と、前記筺体に設けた挿入口に挿し込んで前記鎖錠部材の前記動作によって当該鎖錠部材に結合・離脱される係止部材と、該係止部材を一端に結合したワイヤや鎖等による結束部材であって、当該結束部材の他端側が前記係止部材に結合されている結束部材に結合されるか、又は前記筺体に結合される結束部材とを備えて形成されたことを特徴とする施錠装置。
【請求項２】
ワイヤや鎖等の結束部材の他端側が結合された請求項１の施錠装置の複数個を、夫々の筺体において部屋の壁面,衝立状のパネル,横棧などによる固定部材に並べて設け、保管対象たる複数バッグの夫々のハンドルを始めとする環状部に、前記筺体に結合されている結束部材の一端側を通し、前記環状部を通った前記結束部材の一端側に結合されている係止部材を前記筺体の挿入口に挿し込み、挿し込んだ前記係止部材を前記施錠装置の鎖錠部材に結合させるようにしたことを特徴とするバッグ用ロッカー。
【考案の詳細な説明】
【技術分野】
【０００１】
本考案はキャリーバッグ等の対象物品を施錠装置と一体化するように拘束できる当該施錠装置と、この施錠装置を用いたキャリーバッグ等のバッグ用ロッカーに関する。
【背景技術】
【０００２】
近時、海外から団体で来日する旅行者は、キャスターと伸縮式ハンドルを備えたキャリーバッグと呼ばれるバッグ（以下、本明細書では、キャリーバッグを含む主として旅行用の大型バッグを単にバッグという。）を携行する者が多い。
このようなバッグを持った複数の人が、例えばレストラン等に一緒に入った場合、携行しているバッグの置き場に困っている。
【０００３】
前記レストラン等においては、入場者のバッグを一纏めにして一箇所に置くようにして整理をしているが、似たデザインや似た形態のバッグが同一の場所に複数個置かれてていると、持ち主が誤って他人のバッグを持ち帰る誤認トラブル、或いは、第三者が故意に他人のバッグを持ち帰るという盗難事件の発生等の問題が生じている。
【０００４】
キャリーバッグ等のバッグに関して上記のような問題が発生するのは、複数のバッグが単に一箇所にまとめて置かれるだけの整理形態だからである。
【０００５】
しかし乍ら、現状では前記複数のバッグを、誤認した持ち帰りや故意の盗難を防ぐことができる形態で整理・保管することができる手段は見当たらない。
【０００６】
なお、保管対象が複数着のコートなどの個々の着衣である保管手段が、特許文献１により提案されている。然しながら、この特許文献１の保管手段では複数個のキャリーバッグなどの複数バッグを、個々のバッグごとに整理、保管することはできない。
【先行技術文献】
【特許文献】
【０００７】
【特許文献１】特開２００２−２６６５４１号公報
【考案の開示】
【考案が解決しようとする課題】
【０００８】
そこで、本考案は、複数の旅行者等が夫々に携行している複数個のキャリーバッグ等のバッグが前記旅行者と一緒にレストラン等の店舗内に持ち込まれ、これらの複数バッグを一纏めにして一箇所に置いて保管するとき、誤って他人のバッグを持ち出したり、或いは故意に他人のバッグを持ち出すことができないようにできるキャリーバッグ等のバッグ用ロッカーとこのバッグ用ロッカーに用いる施錠装置との提供を課題とする。
【課題を解決するための手段】
【０００９】
上記課題を解決することを目的としてなされた本考案ロッカーに用いる施錠装置の構成は、シリンダ錠のようにキーがキー穴に差し込まれて内筒を回転させ当該内筒の後端に結合された鎖錠部材を回転動作させるか又は前記回転動作に連動して直線動作させるようにした錠前を備えた筺体と、前記筺体に設けた挿入口に挿し込んで前記鎖錠部材の前記動作によって当該鎖錠部材に結合・離脱される係止部材と、該係止部材を一端に結合したワイヤや鎖等による結束部材であって、当該結束部材の他端側が前記係止部材に結合されている結束部材に結合されるか、又は前記筺体に結合される結束部材とを備えて施錠装置に形成されていることを特徴とする。
【００１０】
また、前記施錠装置を用いて上記課題を解決することができるバッグ用ロッカーの構成は、複数個の前記施錠装置の夫々の筺体を、部屋の壁面,衝立状のパネル,横棧などによる固定部材に並べて設け、バッグのハンドルを始めとする保管対象の環状部に、他端側が前記係止部材に連結されるか又は前記筺体に結合された前記結束部材を通すと共に、該結束部材の一端側の係止部材を前記筺体の挿入口に挿し込んで前記鎖状部材に結合させることを特徴とする。
【考案の効果】
【００１１】
本考案は、キーがキー穴に差し込まれて内筒を回転させ当該内筒の後端に結合された鎖錠部材を回転動作又は進退動作させる錠前を備えた筺体と、前記筺体に設けた挿入口に挿し込んで前記鎖錠部材の前記動作で当該鎖錠部材に結合・離脱される係止部材と、該係止部材を一端に結合したワイヤや鎖等による結束部材であって、当該結束部材の他端が前記係止部材に結合されている結束部材に結合されるか、又は前記筺体に結合される結束部材を備えて施錠装置を形成したから、この施錠装置の２個以上を、レストラン等の適宜場所の壁面、衝立て、上り框の横部材などによる固定部材に並べて設けておけば、複数のバッグの夫々に対し、前記施錠装置のワイヤ等の結束部材を各バッグのハンドルや把手に通して当該結束部材の一端側に結合されている係止部材を前記施錠装置の筺体の挿入口に差し込んで、前記バッグと施錠装置とを前記結束部材を介して施錠状態で一体化することができるから、キーを持った本人以外の者が他人のバッグを持ち出すことはできない。
【図面の簡単な説明】
【００１２】
【図１】本考案施錠装置の一例の斜視図。
【図２】図１の施錠装置におけるシリンダ錠を背面から見た要部の背面図。
【図３】図１の施錠装置における結束部材の一例の斜視図。
【図４】本考案施錠装置をバッグのハンドルに適用しつつある状態の斜視図。
【図５】図４の本考案施錠装置がバッグのハンドルに適用された状態の斜視図。
【図６】本考案施錠装置を用いて形成したバッグ用ロッカーの一例の斜視図。
【考案を実施するための形態】
【００１３】
次に、本考案施錠装置の一例と、この施錠装置を用いて形成したバッグ用ロッカーの一例について、図１〜図５を参照して説明する。
図１において、１は、前記シリンダ錠２を、錠前の一例として備えた小形の筺体であって、該筺体１の正面壁１ａには、シリンダ錠２がその前面２aを露出して取り付けられていると共に、後述する係止部材６の挿入口１ｂが、図１では前記シリンダ錠２の下方に形成されている。
【００１４】
図1のシリンダ錠２の内筒２ｂは、前面にキーＫを挿入するキー穴２ｃを有すると共に、該内筒２ｂの後面には、一例として図２に示すようなキーＫを挿入した内筒２ｂの回転に連動して上下動する連結リンクタイプの鎖錠部材３が設けられている。鎖錠部材３は、内筒２ｂの後端に一体回転するように結合された作動アーム部材３ａと該作動アーム部材３ａにピン結合された昇降バー３ｂにより形成されており、前記昇降バー３ｂは、環状等のガイト３ｃ（図２参照）に緩く抱持されている。
【００１５】
４は、前記筺体１の底部に、別部材で配置するか、又は当該筺体１と一体に形成された、後述するワイヤ等による紐状乃至鎖状の結束部材５の後端部(請求項の「他端」)５ｂが結合されて固定される固定部である。図１では固定部４が前記筺体１の底に水平な舌片状部材で形成されているが、当該固定部４は、前記筺体１の底壁や側壁の構成部材自体が固定部４を兼用できるように形成したり、或は筺体１の底壁等に環状部材を取り付けて固定部４に形成することができる、要は、結束部材５の他端側５ｂを筺体１に固定できるものであれば足りる。図１において４ａは結束部材５の他端側５ｂを結合のために通す結合穴である。
【００１６】
６は、前記結束部材５の前端部(請求項の「一端」)５ａに結合した略板状小片による係止部材で、この係止部材６の前端側には、先に述べた鎖錠部材３の昇降バー３ｂが入出する係合用穴６ａが設けられている。なお、係止部材６の後端側には、前記結束部材５の前端側を結合するための結合用穴６ｂが設けられている（図１参照）。
【００１７】
以上により本考案施錠装置RSの一例を構成する。
本考案施錠装置RSにおいて、前記係止部材６を一端側に備える結束部材５は、その他端側５ｂを、常時、筺体１から分離できない形態で筺体１に結合しておく(図１参照)ことが、望ましい。このようにすると結束部材５が筺体１から離れて散逸しないので、紛失しにくくなる。なお、本考案では、図３に例示するように筺体１から分離した状態の結束部材５を用いることもできる。筺体１と分離した結束部材５の用い方は、図４、図５に例示している。
【００１８】
そこで、結束部材５が図１の状態、或いは、図３〜図５の状態で用いられるようにした本考案施錠装置RSを、図６に例示した本考案バッグ用ロッカーBLに形成したことについて、及びバッグBaが本考案バッグ用ロッカーBLによってどのように保管されるかについて、図４〜図６を参照して説明する。
【００１９】
図６において、１０は本考案バッグ用ロッカーBLのベースとなす水平な基板、１１は前記基板１０の上に垂直向きに立設した板状乃至衝立状の固定部材で、該固定部材１１における上部の表面と裏面(図に表われず)には、夫々に、４個の本考案施錠装置RSが横方向に略等間隔で取り付けられて本考案バッグ用ロッカーBLの一例を構成している。図６において、１０ａは保管するバッグBaを置く位置の指標となる区画ラインである。なお、固定部材１１は、上記例の衝立状物等に限られるものではなく、部屋の壁面や間仕切り壁、上り框の横部材等、複数のキャリーバッグ等のバッグＢａを前記施錠装置ＲＳにより係留できる部位や部材であれば足りる。
【００２０】
図６に例示した本考案バッグ用ロッカーBLは、固定部材１１の表裏両面側で８個のバッグBaを保管できるが、本考案バッグ用ロッカーBLにおいてバッグの保管数を幾つに形成するかなど、本考案バッグ用ロッカーBLの大きさや保管数量は必要に応じて任意に増減した大きさ容量のバッグ用ロッカーとすることができる。
【００２１】
次に、本考案施錠装置RSによるバッグBaの保管態様について述べる。
まず、図３に示した結束部材５を、バッグBaの把手Haに通してから、結束部材５の先端側５ａの係止部材６を後部側５ｂのリングに通す(図４参照)。結束部材５の後端側５ｂのリングを通した係止部材６を筺体１の挿入口１ｂに差し込み、内筒２ｂのキー穴２ａに挿入されているキーKを回転させて昇降バー３ｂを係止部材６の係合用穴６ａに入れ、この状態で前記キーKを抜去する(図５参照)
【００２２】
そうすると、各バッグBaの夫々の把手Haは、固定部材１１に複数個が設置された各施錠装置RSの筺体１に夫々の結束部材５を介してバッグＢａごと夫々に拘束一体化されるから、このままでは各バッグBaのいずれもが保管位置（本考案バッグ用ロッカーＢＬ）から持ち出すことは不可能である。
【００２３】
なお、図３、図４の実施例では、筺体１に設けた係止部材６の挿入口１ｂが、シリンダ錠２の上方に設けられているが、この場合には、内筒２ｂの後端に設けられる鎖錠部材３が、図２の場合と上，下反転した向きで設けられる。
【００２４】
本考案は以上の通りであるから、同時に２個以上の旅行バッグ等が持ち込まれるレストラン等において、入場者や入館者から預かる個々のキャリーバッグなどのバッグを、持ち出すときに間違えることなく、保管することができる。
【符号の説明】
【００２５】
RS  本考案施錠装置
１  筺体
２  シリンダ錠（錠前）
３  鎖錠部材
４  結束部材の固定部
５  結束部材
６  係止部材
BL  本考案バッグ用ロッカー
１０  基板
１１  固定部材
【図１】
0003210056.tif 000003
【図２】
0003210056.tif 000004
【図３】
0003210056.tif 000005
【図４】
0003210056.tif 000006
【図５】
0003210056.tif 000007
【図６】
0003210056.tif 000008